(57)【要約】      （修正有）【課題】設置場所の省スペース化を実現するとともに、小型化を実現することができる端末装置を提供する。【解決手段】端末装置１０は、表示面１６を含む表示部１２と、情報を取得する情報取得部と、を有し、表示部１２の下方に位置し且つ前記表示面１６の最前部の後方に窪んだ凹部２０に前記情報取得部が配置されることを特徴とする。【選択図】図１
2019045949.tif 000002
【特許請求の範囲】
【請求項１】
表示面を含む表示部と、
情報を取得する情報取得部と、
を有し、
前記表示部の下方に位置し且つ前記表示面の最前部の後方に窪んだ凹部に前記情報取得部が配置される
ことを特徴とする端末装置。
【請求項２】
前記情報取得部は、前記凹部内に入れられた機器又は媒体から前記情報を取得する
ことを特徴とする請求項１記載の端末装置。
【請求項３】
互いに異なる複数の前記情報取得部を有する
ことを特徴とする請求項１又は２に記載の端末装置。
【請求項４】
前記凹部は、互いに対向する上面部及び下面部を有し、
前記複数の情報取得部は、前記凹部の前記上面部及び前記下面部の少なくともいずれかに設けられている
ことを特徴とする請求項３記載の端末装置。
【請求項５】
前記複数の情報取得部は、前記凹部の前記上面部及び前記下面部に設けられている
ことを特徴とする請求項４記載の端末装置。
【請求項６】
前記複数の情報取得部は、前記凹部の前記上面部に設けられている
ことを特徴とする請求項４記載の端末装置。
【請求項７】
前記複数の情報取得部は、前記凹部の前記上面部に設けられた一の前記情報取得部と、前記凹部の前記下面部に設けられた他の前記情報取得部とを含み、
前記一の情報取得部は、コードスキャナであり、
前記他の情報取得部は、非接触ＩＣリーダである
ことを特徴とする請求項５記載の端末装置。
【請求項８】
前記凹部を有する配置部を有し、
前記配置部は、前記表示部と一体化されている
ことを特徴とする請求項１乃至７のいずれか１項に記載の端末装置。
【請求項９】
前記配置部は、前記表示部を支持する台座として機能する
ことを特徴とする請求項８記載の端末装置。
【発明の詳細な説明】
【技術分野】
【０００１】
本発明は、例えば商取引に関する処理に用いられる端末装置に関する。
【背景技術】
【０００２】
近時、情報通信技術の発展に伴い、商取引では、電子的な手段により、契約、決済等が行われている。例えば、決済の場面では、ＩＣ（Integrated Circuit）カードやスマートフォン等の携帯端末のＩＣチップに記憶されたデータを、リーダライタ等を用いて授受、変更することにより決済を行う電子マネーが普及している。また、例えば、バーコードや二次元コードをスキャナ等により読み取ることにより、商品やサービス等の取引対象を特定する情報を取得することが行われている。
【０００３】
このような商取引やこれに関連するサービス等に用いられる端末装置には、商取引に関する各種情報を読み取るリーダ、スキャナ等の情報取得部が設けられている。特許文献１には、購入者が操作するセルフレジスタ装置として、商品に付されているバーコードを読み取るスキャナ部と、電子マネー記録媒体について残高金額の読み出し、残高金額の書き込みを行うリーダライタ部とを有するものが記載されている。また、特許文献２には、固定スキャナとマルチリーダとを有する本体と、本体の上部に設けられた表示部とを備えたセルフＰＯＳ（Point Of Sale）システムが記載されている。
【先行技術文献】
【特許文献】
【０００４】
【特許文献１】特開２００９−２３０２０８号公報
【特許文献２】特開２０１２−５９３０１号公報
【発明の概要】
【発明が解決しようとする課題】
【０００５】
特許文献１に記載されるような端末装置には、その操作者である利用客に対して端末装置による処理を行う上で必要な情報や、操作案内、ヘルプ等を表示する液晶ディスプレイ等の表示部が設けられている。リーダライタ、スキャナ等の情報取得部は、表示部とともに設置場所に設置される。
【０００６】
従来、表示部と情報取得部とは互いに別置きに設置されるため、それぞれについて設置スペースを確保する必要があった。さらに、リーダライタ、スキャナ等の互いに異なる複数の情報取得部を設置する場合、各情報取得部について設置場所を確保する必要があった。このため、表示部と情報取得部とを有する従来の端末装置は、設置場所の省スペース化を実現することが困難であった。
【０００７】
また、特許文献２に記載されるようなＰＯＳシステムでは、固定スキャナ及びマルチリーダが、本体から前方に突出するように設けられている。このため、特許文献２に記載されるような構成では、固定スキャナ等の情報取得部を有する端末装置の小型化を実現することが困難であった。
【０００８】
本発明は、設置場所の省スペース化を実現するとともに、小型化を実現することができる端末装置を提供することを目的とする。
【課題を解決するための手段】
【０００９】
本発明の一観点によれば、表示面を含む表示部と、情報を取得する情報取得部と、を有し、前記表示部の下方に位置し且つ前記表示面の最前部の後方に窪んだ凹部に前記情報取得部が配置されることを特徴とする端末装置が提供される。
【発明の効果】
【００１０】
本発明によれば、端末装置の設置場所の省スペース化を実現するとともに、端末装置の小型化を実現することができる。
【図面の簡単な説明】
【００１１】
【図１】図１は、本発明の第１実施形態による端末装置の構成を示す斜視図である。
【図２】図２は、本発明の第１実施形態による端末装置の構成を示すブロック図である。
【図３】図３は、本発明の第１実施形態による端末装置の台座部における凹部を示す正面図である。
【図４】図４は、本発明の第２実施形態による端末装置の台座部における凹部を示す正面図である。
【図５】図５は、本発明の第３実施形態による端末装置の構成を示すブロック図である。
【図６】図６は、本発明の第３実施形態による端末装置の台座部における凹部を示す正面図である。
【図７】図７は、本発明の第４実施形態による端末装置の構成を示す斜視図である。
【図８】図８は、本発明の第５実施形態による端末装置の構成を示す斜視図である。
【図９】図９は、本発明の他の実施形態による端末装置の機能構成を示すブロック図である。
【発明を実施するための形態】
【００１２】
［第１実施形態］
本発明の第１実施形態による端末装置について図１乃至図３を用いて説明する。
【００１３】
まず、本実施形態による端末装置の構成について図１乃至図３を用いて説明する。図１は、本実施形態による端末装置の構成を示す斜視図である。図２は、本実施形態による端末装置の構成を示すブロック図である。図３は、本実施形態による端末装置の台座部における凹部を示す正面図であり、情報が読み取られる機器が入れられた凹部の状態を例示している。
【００１４】
本実施形態による端末装置は、例えば、収納代行事業者による収納代行に関する処理の実行に用いられ、その利用者が自ら操作するセルフ式のサービス端末である。利用者は、料金又は代金を支払うべき請求事業者により電子的に又は紙で発行された払込票のバーコード等のコードシンボルを本実施形態による端末装置に読み取らせて、電子マネーによりその代金の支払を実行することができる。
【００１５】
図１に示すように、本実施形態による端末装置１０は、表示部１２と、表示部１２を支持する台座部１４とを有している。表示部１２は、利用者に対する各種情報の表示及び利用者の操作入力の受け付けを行うタッチパネル式の表示面１６を有している。また、台座部１４は、表示部１２を下方から支持するように、表示部１２の下に表示部１２と一体化されて設けられている。本実施形態による端末装置１０は、設置台１８上に台座部１４側から置かれて設置されている。
【００１６】
台座部１４は、表示部１２の下方に位置した凹部２０であって、表示部１２における表示面１６の最前部の後方に窪んだ凹部２０を有している。台座部１４は、後述するように、機器又は媒体から情報を取得する情報取得部であるコードスキャナ２８及び非接触ＩＣ（Integrated Circuit）リーダライタ３０が凹部２０に配置されており、互いに異なる複数の情報取得部が配置された配置部になっている。なお、台座部１４の下には、後述する第４実施形態において説明するように、支払のための現金を処理する現金処理部４１２が設けられていてもよい。
【００１７】
図２に示すように、本実施形態による端末装置１０は、さらに、ＣＰＵ（Central Processing Unit）２２と、ＲＡＭ（Random Access Memory）２４と、記憶部２６と、コードスキャナ２８と、非接触ＩＣリーダライタ３０と、入力部３２と、出力部３４と、通信Ｉ／Ｆ３６とを有している。上記の表示部１２、ＣＰＵ２２、ＲＡＭ２４、記憶部２６、コードスキャナ２８、非接触ＩＣリーダライタ３０、入力部３２、出力部３４及び通信Ｉ／Ｆ３６は、共通バス３８に接続されている。
【００１８】
以下、本実施形態による端末装置１０の各部について詳述する。
【００１９】
ＣＰＵ２２は、記憶部２６等に記憶されたプログラムを実行することにより動作し、端末装置１０全体の動作を制御する制御部として機能する。また、ＣＰＵ２２は、コードスキャナ２８により取得された支払情報及び非接触ＩＣリーダライタ３０により取得された電子マネー情報に基づき、代行収納に関する処理を実行する。ＲＡＭ２４は、ＣＰＵ２２の動作に必要なメモリ領域を提供する。
【００２０】
記憶部２６は、不揮発性メモリ、ハードディスクドライブ等により構成されている。記憶部２６は、ＣＰＵ２２により実行されるプログラム、そのプログラムの実行の際にＣＰＵ２２により参照されるデータ等を記憶する。
【００２１】
コードスキャナ２８は、機器に表示されたコードシンボル又は媒体に印字されたコードシンボルを光学的に読み取って、機器又は媒体のコードシンボルから情報を取得する情報取得部として機能する。コードシンボルとしては、特に限定されるものではないが、例えば、一次元コードであるバーコード、ＱＲコード（登録商標）等の二次元コード等が挙げられる。コードシンボルが表示された機器としては、例えば、表示面にコードシンボルが表示された携帯電話、スマートフォン、タブレット端末等の携帯機器が挙げられる。また、コードシンボルが印字された媒体としては、紙面にコードシンボルが印字された払込票等の紙片、券面にコードシンボルが印字されたカード等が例示される。コードシンボルから取得された情報は、代行収納の処理の際に用いられる情報として、請求事業者、支払金額、支払期限等に関する情報である支払情報を含んでいる。
【００２２】
なお、コードスキャナ２８に代えて、機器の表示面や媒体の印字面を撮像してその撮像された画像から情報を取得する画像スキャナを用いることもできる。画像スキャナとしては、例えばＯＣＲ（Optical character recognition）に対応したものが挙げられる。この場合、画像スキャナにより読み取られる機器の表示面や媒体の印字面には、支払情報を特定するための支払票番号等の特定情報が表されている。画像スキャナは、撮像した機器の表示面や媒体の印字面の画像から特定情報を取得する。こうして取得された特定情報は、支払情報の特定のために用いられる。すなわち、ＣＰＵ２２は、特定情報と支払情報とを関連付けるデータベースを参照して、画像スキャナにより取得した特定情報から支払情報を取得することができる。データベースは、ローカルの記憶部２６、センタサーバの記憶部等に記憶されている。
【００２３】
非接触ＩＣリーダライタ３０は、ＮＦＣ（Near Field Communication）リーダライタである。非接触ＩＣリーダライタ３０は、機器又は媒体が有する非接触ＩＣチップと近距離無線通信を行って、非接触ＩＣチップに記憶されたデータの読み取りを行う。また、非接触ＩＣリーダライタ３０は、機器又は媒体が有する非接触ＩＣチップと近距離無線通信を行って、非接触ＩＣチップに対するデータの書き込みを行う。非接触ＩＣリーダライタ３０と非接触ＩＣチップとの間の通信規格は、特に限定されるものではないが、例えば、ＩＳＯ／ＩＥＣ  １４４４３  Ｔｙｐｅ  Ａ、ＩＳＯ／ＩＥＣ  １４４４３  Ｔｙｐｅ  Ｂ、ＦｅｌｉＣａ（登録商標）、ＩＳＯ／ＩＥＣ  １８０９２（ＮＦＣ  ＩＰ−１）、ＩＳＯ／ＩＥＣ２１４１８（ＮＦＣ  ＩＰ−２）等が挙げられる。
【００２４】
非接触ＩＣリーダライタ３０は、上述のように機器又は媒体の非接触ＩＣチップに記憶されたデータを読み取って、機器又は媒体の非接触ＩＣチップから情報を取得する情報取得部として機能する。非接触ＩＣチップを有する機器としては、例えば、携帯電話、スマートフォン、タブレット端末等の携帯機器が挙げられる。また、非接触ＩＣチップを有する媒体としては、例えば、カード、キーホルダー、ストラップ、シール等が挙げられる。
【００２５】
非接触ＩＣリーダライタ３０は、具体的には、電子マネーリーダライタである。電子マネーリーダライタである非接触ＩＣリーダライタ３０は、機器又は媒体の非接触ＩＣチップに記憶された電子マネーに関する情報である電子マネー情報の読み取りを行い、また、非接触ＩＣチップに対する電子マネー情報の書き込みを行う。
【００２６】
なお、非接触ＩＣリーダライタ３０が情報を取得する機器又は媒体は、コードスキャナ２８が情報を取得する機器又は媒体と同一のものであってもよいし、異なるものであってもよい。すなわち、コードスキャナ２８及び非接触ＩＣリーダライタ３０が、単一の機器又は媒体から情報を読み取って取得してもよいし、複数の機器又は媒体から情報を読み取って取得してもよい。
【００２７】
なお、本実施形態では、端末装置１０が、機器又は媒体から情報を取得する情報取得部としてコードスキャナ２８及び非接触ＩＣリーダライタ３０の２つの情報取得部を有する場合について説明するが、情報取得部の数及び種類はこれらに限定されるものではない。端末装置１０は、２つのみならず３つ以上の互いに異なる複数の情報取得部を有していてもよいし、１つの情報取得部を有していてもよい。また、端末装置１０は、機器又は媒体から情報を取得する情報取得部として、コードスキャナ２８及び非接触ＩＣリーダライタ３０以外のスキャナ、リーダ、センサ等を有していてもよい。
【００２８】
表示部１２は、特に限定されるものではないが、例えば、液晶ディスプレイ、ＯＬＥＤ（Organic Light Emitting Diode）ディスプレイ等により構成されている。表示部１２は、端末装置１０の操作者である利用者に対して、端末装置１０からの出力をその表示面１６に表示する。表示面１６に表示される端末装置１０からの出力には、例えば、収納代行の対象となる取引内容、電子マネー残高等の端末装置１０による処理を行う上で必要な情報が含まれる。また、表示面１６に表示される端末装置１０からの出力には、例えば、操作案内、ヘルプ等の端末装置１０の操作に関する情報が含まれる。さらに、表示面１６に表示される端末装置１０からの出力には、これらのほか、例えば、広告に関する情報が含まれていてもよい。利用者は、表示部１２の表示面１６に表示される各種情報により、端末装置１０による処理内容を確認するとともに、端末装置１０を操作することができる。
【００２９】
表示部１２における表示面１６は、利用者が視認しやすいように、斜め上方を向くように傾斜して設けられている。また、表示面１６がこのように傾斜して設けられていることにより、タッチパネルとして構成された表示面１６を利用者が指先でタッチする際に、利用者がより高い自由度で腕を動かすことができ、高い操作性が確保されている。なお、表示面１６は、必ずしもこのように傾斜して設けられている必要はない。
【００３０】
表示部１２は、表示面１６が前面に設けられた筐体部４０を有している。筐体部４０内には、ＣＰＵ２２、ＲＡＭ２４、記憶部２６、通信Ｉ／Ｆ３６が設けられている。筐体部４０は、台座部１４と一体的に形成されている。
【００３１】
入力部３２は、端末装置１０に情報、指示等を入力するためのものである。入力部３２は、特に限定されるものではないが、例えば、表示部１２に組み込まれたタッチパネルである。この場合、利用者は、タッチパネルが組み込まれた表示部１２における表示面１６をタッチして、端末装置１０に対して情報、指示等を入力することで、端末装置１０を操作することができる。また、入力部３２は、キーボード、テンキー、ポインティングデバイス等であってもよい。
【００３２】
出力部３４は、例えば、端末装置１０による処理の明細を用紙に印字するプリンタで構成されている。出力部３４は、例えば、凹部２０内において用紙等を出力するように筐体部４０に設けられている。
【００３３】
通信Ｉ／Ｆ３６は、ネットワークを介してデータの送受信を行う通信部である。通信Ｉ／Ｆ３６は、ＷＡＮ（Wide Area Network）、ＬＡＮ（Local Area Network）等のネットワークに接続されている。ＣＰＵ２２は、通信Ｉ／Ｆ３６を介して、ネットワーク上のセンタサーバ等とデータの送受信を行うことができる。
【００３４】
台座部１４は、表示部１２の下方に設けられ、表示部１２を下方から支持するように構成されている。台座部１４は、互いに異なる複数の情報取得部であるコードスキャナ２８及び非接触ＩＣリーダライタ３０が凹部２０に配置された配置部になっている。
【００３５】
台座部１４は、表示部１２の筐体部４０と一体的に形成されており、表示部１２と一体化されている。台座部１４が表示部１２と一体化されていることにより、端末装置１０の小型化を図ることができる。なお、台座部１４は、必ずしも表示部１２と一体化されている必要はなく、表示部１２と別個の部材になっていてもよい。
【００３６】
台座部１４における凹部２０は、表示部１２の下方に位置し、且つ表示部１２における表示面１６の最前部の後方に窪んでいる。凹部２０は、表示面１６の前側を向くように開口しており、例えば横方向に沿った溝状の形状を有している。凹部２０は、その両端部がそれぞれ側壁により閉鎖されていてもよいし、その両側端部の一部又は全部がそれぞれ開放されていてもよい。なお、台座部１４は、凹部２０を少なくとも有していればよく、凹部２０以外については種々の形状を採ることができる。
【００３７】
具体的には、例えば、凹部２０は、表示部１２における表示面１６に対して次のように設けられている。すなわち、表示部１２における表示面１６は、上述のように、例えば、斜め上方を向くように傾斜して設けられている。この場合、表示面１６の下端部が表示面１６の最前部になっており、凹部２０は、その表示面１６の下端部の後方に窪んでいる。なお、表示面１６は平坦面であってもよいし、例えば前方又は後方に湾曲した湾曲面のような曲面であってもよい。表示面１６が平坦面である場合も曲面である場合も、凹部２０は、表示面１６の最前部の後方に窪んだものであればよい。このように、台座部１４における凹部２０は、表示面１６の最前部の後方に窪むように設けられていればよい。
【００３８】
図３に示すように、台座部１４における凹部２０は、互いに上下方向に対向する上面部４２及び下面部４４を有している。凹部２０には、次のようにコードスキャナ２８及び非接触ＩＣリーダライタ３０が設けられて配置されている。
【００３９】
凹部２０の上面部４２には、コードスキャナ２８が設けられている。凹部２０内には、表示面にコードシンボルが表示された機器又はコードシンボルが印字された媒体が、そのコードシンボルを上向きにして入れられる。コードスキャナ２８は、凹部２０内に入れられた機器又は媒体のコードシンボルを上方からスキャンして読み取ることができるように設けられている。
【００４０】
コードスキャナ２８は、例えば、コードシンボルを読み取ることができる読み取り可能領域をライトで照らしている。これにより、利用者は、コードスキャナ２８の読み取り可能領域を容易に認識することができ、よって、機器又は媒体のコードシンボルを容易にコードスキャナ２８に読み取らせることができる。なお、コードスキャナ２８の読み取り可能領域をライトで照らすこととともに又はこれに代えて、例えば、コードスキャナ２８近傍の表示部１２又は台座部１４の部分に、読み取り可能領域を示す表示が付されていてもよい。このような表示によっても、利用者は、読み取り可能領域を容易に認識することができる。
【００４１】
凹部２０の下面部４４には、非接触ＩＣリーダライタ３０が設けられている。非接触ＩＣリーダライタ３０は、下面部４４の、上面部４２のコードスキャナ２８が設けられた領域と対向する領域に設けられている。非接触ＩＣリーダライタ３０は、凹部２０内に入れられた機器又は媒体の非接触ＩＣチップからのデータの読み取りや非接触ＩＣチップに対するデータの書き込みを行うことができるように設けられている。
【００４２】
なお、図３には、コードスキャナ２８及び非接触ＩＣリーダライタ３０により情報が読み取られる機器としてスマートフォン５０が凹部２０内に入れられている場合を例示している。スマートフォン５０は、コードスキャナ２８により読み取られるコードシンボルを表示する表示面５２を有している。スマートフォン５０は、コードシンボルを表示する表示面５２を上向きにして凹部２０内に入れられている。また、スマートフォン５０は、非接触ＩＣリーダライタ３０によりデータの読み取り及び書き込みが行われる非接触ＩＣチップ５４を内蔵している。
【００４３】
本実施形態による端末装置１０では、上述のように、コードスキャナ２８及び非接触ＩＣリーダライタ３０が、表示部１２の下方に位置し且つ表示面１６の最前部の後方に窪んだ凹部２０に配置されている。このため、本実施形態による端末装置１０は、表示部１２の設置場所とは別にコードスキャナ２８及び非接触ＩＣリーダライタ３０の設置場所を確保する必要がない。また、コードスキャナ２８及び非接触ＩＣリーダライタ３０は、本体外に突出することなく、凹部２０に配置されている。したがって、本実施形態による端末装置１０は、設置場所の省スペース化を実現するとともに、小型化を実現することができる。
【００４４】
次に、本実施形態による端末装置１０の動作について説明する。以下では、コードスキャナ２８によりスマートフォン５０の表示面５２に表示されたコードシンボルから支払情報を読み取り、非接触ＩＣリーダライタ３０によりスマートフォン５０の非接触ＩＣチップ５４から電子マネー情報を読み取る場合について説明する。
【００４５】
本実施形態による端末装置１０の利用者は、予め、請求元事業者から電子的に支払票の発行を受けている。電子的に発行された支払票には、支払情報を含むコードシンボルが含まれている。利用者のスマートフォン５０は、支払情報を含むコードシンボルを表示面５２に表示することが可能になっている。また、スマートフォン５０の非接触ＩＣチップ５４には、電子マネー情報が記憶されている。
【００４６】
まず、利用者は、表示部１２における表示面１６に表示される操作案内等に従って、図３に示すように、そのスマートフォン５０を凹部２０内に入れる。その際、利用者は、その手に保持するスマートフォン５０の表示面５２にコードシンボルを表示させ、コードシンボルを表示させた表示面５２が上向きになるようにスマートフォン５０を凹部２０内に入れる。なお、利用者は、凹部２０内に入れたスマートフォン５０を手に保持した状態を維持してもよいし、スマートフォン５０を手から離して凹部２０の下面部４４上に載置してもよい。
【００４７】
次いで、コードスキャナ２８は、凹部２０内に入れられたスマートフォン５０の表示面５２に表示されたコードシンボルを読み取って、コードシンボルから支払情報を取得する。続いて、コードスキャナ２８は、コードシンボルから取得した支払情報をＣＰＵ２２に送信する。
【００４８】
また、非接触ＩＣリーダライタ３０は、凹部２０内に入れられたスマートフォン５０の非接触ＩＣチップ５４からデータを読み取って、非接触ＩＣチップ５４から電子マネー情報を取得する。続いて、非接触ＩＣリーダライタ３０は、非接触ＩＣチップ５４から取得した電子マネー情報をＣＰＵ２２に送信する。
【００４９】
ここで、利用者は、必要に応じて、凹部２０内に入れたスマートフォン５０の向きを変更して、非接触ＩＣリーダライタ３０にデータを読み取らせることができる。具体的には、例えば、スマートフォン５０において、非接触ＩＣチップ５４の読み取りが可能な読み取り面が、表示面５２が設けられた表面とは反対の裏面にある場合、利用者は、スマートフォン５０の向きをそのままにすることができる。一方、例えば、スマートフォン５０において、非接触ＩＣチップ５４の読み取り可能な読み取り面が、表示面５２が設けられた表面にある場合もある。この場合、利用者は、表示面５２を上向きにして凹部２０内に入れたスマートフォン５０を裏返して、スマートフォン５０の表面を下向きにすることができる。なお、非接触ＩＣリーダライタ３０は、凹部２０内に入れられたスマートフォン５０の向きを変更することなく、データの読み取りや書き込みが可能に構成することもできる。
【００５０】
非接触ＩＣリーダライタ３０は、コードスキャナ２８によるコードシンボルの読み取りと同時に、非接触ＩＣチップ５４からデータを読み取ることができる。このように、本実施形態では、コードスキャナ２８による読み取りと非接触ＩＣリーダライタ３０による読み取りとを同時に行うことにより、端末装置１０による処理に要する時間を短縮することができ、高い効率で処理を実行することができる。なお、コードスキャナ２８による読み取りと非接触ＩＣリーダライタ３０による読み取りは、必ずしも同時に行う必要はなく、いずれか一方による読み取りを先に順次行うこともできる。この場合であっても、情報の読み取りのためにスマートフォン５０を凹部２０内から別の場所に移動させる必要がないため、端末装置１０による処理に要する時間を短縮することができ、高い効率で処理を実行することができる。
【００５１】
また、本実施形態では、凹部２０内に入れたスマートフォン５０を凹部２０内から移動させることなく、コードスキャナ２８による読み取り及び非接触ＩＣリーダライタ３０による読み取りをまとめて行うことができる。したがって、本実施形態による端末装置１０は、高い操作性を実現することができる。
【００５２】
次いで、ＣＰＵ２２は、コードスキャナ２８により取得された支払情報及び非接触ＩＣリーダライタ３０により取得された電子マネー情報に基づき、電子マネーによる支払処理を含む収納代行に関する処理を実行する。また、ＣＰＵ２２は、収納代行に関する処理の実行結果に関する情報を、通信Ｉ／Ｆ３６を介してセンタサーバ等に送信する。また、ＣＰＵ２２は、非接触ＩＣリーダライタ３０により、スマートフォン５０の非接触ＩＣチップ５４に情報を書き込み、例えば、電子マネーの残高情報の更新、利用履歴情報の書き込み等を行う。
【００５３】
このように、本実施形態によれば、表示部１２の下方に位置し且つ表示面１６の最前部の後方に窪んだ凹部２０にコードスキャナ２８及び非接触ＩＣリーダライタ３０が配置されている。したがって、本実施形態によれば、端末装置１０の設置場所の省スペース化を実現するとともに、端末装置１０の小型化を実現することができる。
【００５４】
［第２実施形態］
本発明の第２実施形態による端末装置について図４を用いて説明する。なお、上記第１実施形態による端末装置と同様の構成要素については同一の符号を付し説明を省略し又は簡略にする。
【００５５】
上記第１実施形態では、コードスキャナ２８が凹部２０の上面部４２に配置され、非接触ＩＣリーダライタ３０が凹部の下面部４４に配置された場合について説明したが、これに限定されるものではない。コードスキャナ２８及び非接触ＩＣリーダライタ３０の凹部２０における配置場所は、適宜変更することができる。本実施形態では、コードスキャナ２８及び非接触ＩＣリーダライタ３０のいずれもが凹部２０の上面部４２に配置されている場合について説明する。
【００５６】
本実施形態による端末装置の基本的構成は、第１実施形態による端末装置１０の構成とほぼ同様である。本実施形態による端末装置は、コードスキャナ２８及び非接触ＩＣリーダライタ３０のいずれもが凹部２０の上面部４２に設けられている点で、第１実施形態による端末装置１０とは異なっている。以下、本実施形態による端末装置の構成について図４を用いて説明する。図４は、本実施形態による端末装置の台座部における凹部を示す正面図である。
【００５７】
図４に示すように、本実施形態による端末装置２１０は、第１実施形態と同様に、表示部１２を支持する台座部１４を有している。台座部１４は、第１実施形態と同様に、凹部２０を有している。本実施形態において、凹部２０には、次のようにコードスキャナ２８及び非接触ＩＣリーダライタ３０が設けられて配置されている。
【００５８】
凹部２０の上面部４２には、第１実施形態と同様に、コードスキャナ２８が設けられている。
【００５９】
さらに、凹部２０の上面部４２には、非接触ＩＣリーダライタ３０が設けられている。非接触ＩＣリーダライタ３０は、例えば、同じく上面部４２に設けられたコードスキャナ２８に隣接して設けられている。非接触ＩＣリーダライタ３０は、凹部２０内に入れられた機器又は媒体の非接触ＩＣチップからのデータの読み取りや非接触ＩＣチップに対するデータの書き込みを行うことができるように設けられている。
【００６０】
本実施形態のように、コードスキャナ２８及び非接触ＩＣリーダライタ３０のいずれもが凹部２０の上面部４２に配置されていてもよい。
【００６１】
［第３実施形態］
本発明の第３実施形態による端末装置について図５及び図６を用いて説明する。なお、上記第１及び第２実施形態による端末装置と同様の構成要素については同一の符号を付し説明を省略し又は簡略にする。
【００６２】
上記第１及び第２実施形態では、機器又は媒体から情報を取得する情報取得部として、コードスキャナ２８及び非接触ＩＣリーダライタ３０を用いた場合について説明したが、これに限定されるものではない。情報取得部としては、コードスキャナ２８及び非接触ＩＣリーダライタ３０以外のものを用いることができる。本実施形態では、情報取得部として、コードスキャナ２８に代えて無線通信部を用いた場合について説明する。
【００６３】
本実施形態による端末装置の基本的構成は、第１実施形態による端末装置１０の構成とほぼ同様である。本実施形態による端末装置は、コードスキャナ２８に代えて、機器との無線通信により機器から情報を取得する無線通信部を有する点で、第１実施形態による端末装置１０とは異なっている。以下、本実施形態による端末装置の構成について図５及び図６を用いて説明する。図５は、本実施形態による端末装置の構成を示すブロック図である。図６は、本実施形態による端末装置の台座部における凹部を示す正面図である。
【００６４】
図５に示すように、本実施形態による端末装置３１０は、コードスキャナ２８に代えて、無線通信部３２８を有している。無線通信部３２８は、対応する無線通信機能を有する機器と無線通信を行って機器から情報を取得するようになっている。
【００６５】
例えば、無線通信部３２８は、例えば、Ｗｉ−Ｆｉ（登録商標）のアドホックモードにより、対応する無線通信機能を有する機器と一対一で直接無線通信を行って機器から情報を取得するようになっている。なお、無線通信部３２８が機器と無線通信を行う方式は、特に限定されるものではない。無線通信部３２８は、そのほか、例えば、Ｂｌｕｅｔｏｏｔｈ（登録商標）通信方式、赤外線通信方式等により、対応する無線通信機能を有する機器と一対一で直接無線通信を行って機器から情報を取得することもできる。
【００６６】
無線通信部３２８と無線通信を行う機器には、第１実施形態のコードシンボルに代えて、支払情報がデータとして記憶されている。無線通信部３２８は、機器と無線通信を行うことにより、データとして機器に記憶されている支払情報を取得することができる。なお、無線通信部３２８と無線通信を行う機器は、無線通信部３２８と無線通信が行えるように、予め、例えば、認証情報の設定、ペアリング等が行われる。
【００６７】
図６に示すように、台座部１４における凹部２０は、第１実施形態と同様に、互いに上下方向に対向する上面部４２及び下面部４４を有している。凹部２０には、次のように無線通信部３２８及び非接触ＩＣリーダライタ３０が設けられて配置されている。
【００６８】
凹部２０の上面部４２には、コードスキャナ２８に代えて、無線通信部３２８が設けられている。凹部２０内には、予め無線通信部３２８と通信可能に設定された機器が入れられる。無線通信部３２８は、凹部２０内に入れられた機器と無線通信を行って機器から情報を取得することができるように設けられている。
【００６９】
凹部２０の下面部４４には、第１実施形態と同様に、非接触ＩＣリーダライタ３０が設けられている。
【００７０】
本実施形態のように、情報取得部として、コードスキャナ２８に代えて無線通信部３２８が設けられていてもよい。本実施形態による端末装置３１０でも、上述のように、無線通信部３２８及び非接触ＩＣリーダライタ３０が、表示部１２の下方に位置し且つ表示面１６の最前部の後方に窪んだ凹部２０に配置されている。このため、本実施形態による端末装置３１０は、表示部１２の設置場所とは別に無線通信部３２８及び非接触ＩＣリーダライタ３０の設置場所を確保する必要がない。また、無線通信部３２８及び非接触ＩＣリーダライタ３０は、本体外に突出することなく、凹部２０に配置されている。したがって、本実施形態による端末装置３１０は、設置場所の省スペース化を実現するとともに、小型化を実現することができる。
【００７１】
次に、本実施形態による端末装置３１０の動作について説明する。以下では、無線通信部３２８によりスマートフォン５０から支払情報を読み取り、非接触ＩＣリーダライタ３０によりスマートフォン５０の非接触ＩＣチップ５４から電子マネー情報を読み取る場合について説明する。
【００７２】
本実施形態による端末装置３１０の利用者は、予め、請求元事業者から電子的に支払情報の提供を受けている。利用者のスマートフォン５０には、支払情報が記憶されている。また、スマートフォン５０の非接触ＩＣチップ５４には、電子マネー情報が記憶されている。
【００７３】
まず、利用者は、第１実施形態と同様に、表示部１２における表示面１６に表示される操作案内等に従って、図６に示すように、そのスマートフォン５０を凹部２０内に入れる。
【００７４】
次いで、無線通信部３２８は、凹部２０内に入れられたスマートフォン５０と無線通信を行って、スマートフォン５０から支払情報を取得する。続いて、無線通信部３２８は、スマートフォン５０から取得した支払情報をＣＰＵ２２に送信する。
【００７５】
また、非接触ＩＣリーダライタ３０は、第１実施形態と同様に、凹部２０内に入れられたスマートフォン５０の非接触ＩＣチップ５４から電子マネー情報を取得する。続いて、非接触ＩＣリーダライタ３０は、非接触ＩＣチップ５４から取得した電子マネー情報をＣＰＵ２２に送信する。
【００７６】
非接触ＩＣリーダライタ３０は、無線通信部３２８による支払情報の取得と同時に、非接触ＩＣチップ５４からデータを読み取ることができる。このように、本実施形態では、無線通信部３２８による情報の取得と非接触ＩＣリーダライタ３０による読み取りとを同時に行うことにより、端末装置３１０による処理に要する時間を短縮することができ、高い効率で処理を実行することができる。なお、無線通信部３２８による情報の取得と非接触ＩＣリーダライタ３０による読み取りは、必ずしも同時に行う必要はなく、いずれか一方による読み取りを先に順次行うこともできる。この場合であっても、情報の読み取りのためにスマートフォン５０を凹部２０内から別の場所に移動させる必要がないため、端末装置３１０による処理に要する時間を短縮することができ、高い効率で処理を実行することができる。
【００７７】
また、本実施形態では、凹部２０内に入れたスマートフォン５０を凹部２０内から移動させることなく、無線通信部３２８による情報の取得及び非接触ＩＣリーダライタ３０による読み取りをまとめて行うことができる。したがって、本実施形態による端末装置３１０は、高い操作性を実現することができる。
【００７８】
次いで、ＣＰＵ２２は、第１実施形態と同様に、収納代行に関する処理を実行し、また、収納代行に関する処理の実行結果に関する情報をセンタサーバ等に送信する。また、ＣＰＵ２２は、第１実施形態と同様に、スマートフォン５０の非接触ＩＣチップ５４に情報を書き込む。
【００７９】
このように、本実施形態によれば、表示部１２の下方に位置し且つ表示面１６の最前部の後方に窪んだ凹部２０に無線通信部３２８及び非接触ＩＣリーダライタ３０が配置されている。したがって、本実施形態によれば、端末装置３１０の設置場所の省スペース化を実現するとともに、端末装置３１０の小型化を実現することができる。
【００８０】
なお、上記では、無線通信部３２８が台座部１４における凹部２０に設けられている場合について説明したが、これに限定されるものではなく、無線通信部３２８が凹部２０以外に設けられていてもよい。無線通信部３２８は、例えば、端末装置３１０の近傍に所在する利用者、具体的には端末装置３１０の前に立つ利用者が手元に所持するスマートフォン５０等の機器と無線通信が可能なように設けられていればよい。この場合、無線通信部３２８は、端末装置３１０に設けられていてもよいし、端末装置３１０とは別個に設けられていてもよい。
【００８１】
無線通信部３２８は、例えば、端末装置３１０の前に立つ利用者のスマートフォン５０が凹部２０内に入れられる前に、そのスマートフォン５０と無線通信を行って、上記と同様にスマートフォン５０から支払情報を取得することもできる。この場合、利用者は、無線通信部３２８とスマートフォン５０との無線通信が実行された後にスマートフォン５０を凹部２０内に入れて、上記と同様に非接触ＩＣリーダライタ３０による処理を実行させることができる。
【００８２】
また、上記では、第１実施形態においてコードスキャナ２８に代えて無線通信部３２８を用いた場合について説明したが、第２実施形態においても上記と同様にコードスキャナ２８に代えて無線通信部３２８を用いることができる。
【００８３】
［第４実施形態］
本発明の第４実施形態による端末装置について図７を用いて説明する。なお、上記第１乃至第３実施形態による端末装置と同様の構成要素については同一の符号を付し説明を省略し又は簡略にする。
【００８４】
上記第１乃至第３実施形態では、非接触ＩＣリーダライタ３０により電子マネー情報を読み取って電子マネーによる支払処理を実行する場合について説明したが、これに限定されるものではない。端末装置は、電子マネーによる支払処理に加えて、現金による支払処理をも実行可能なように構成することもできる。本実施形態では、現金による支払処理をも実行可能に構成された場合について説明する。
【００８５】
本実施形態による端末装置の基本的構成は、第１実施形態による端末装置１０の構成とほぼ同様である。本実施形態による端末装置は、さらに、支払のための現金を処理する現金処理部を有する点で、第１実施形態による端末装置１０とは異なっている。以下、本実施形態による端末装置の構成について図７を用いて説明する。図７は、本実施形態による端末装置の構成を示す斜視図である。
【００８６】
図７に示すように、本実施形態による端末装置４１０は、台座部１４の下に設けられた現金処理部４１２をさらに有している。現金処理部４１２は、支払のための現金を処理するものである。現金処理部４１２は、紙幣の入出金を処理する紙幣入出金部４１４と、硬貨の入出金を処理する硬貨入出金部４１６とを有している。
【００８７】
現金処理部４１２は、利用者による支払のための現金の入金を受け付けて、現金による支払処理を実行する。また、現金処理部４１２は、現金による支払処理の実行後、入金額に応じて釣銭の払い出しを行う。具体的には、紙幣入出金部４１４は、紙幣による入金を受け付け、また、紙幣による釣銭の払い出しを行う。また、硬貨入出金部４１６は、硬貨による入金を受け付け、また、硬貨による釣銭の払い出しを行う。
【００８８】
本実施形態においても、表示部１２における表示面１６は、斜め上方を向くように傾斜して設けられている。さらに、本実施形態では、表示部１２における表示面１６の最前部よりも前方に、現金処理部４１２が設けられている。また、凹部２０の最前部は、表示面１６の最前部と、現金処理部４１２の最前部との間に位置している。こうして、表示面１６、凹部２０及び現金処理部４１２のそれぞれの最前部は、斜め上方を向くように傾斜する所定の傾斜面に沿って配置されている。
【００８９】
このように表示面１６、凹部２０及び現金処理部４１２が傾斜して設けられていることにより、タッチパネルとして構成された表示面１６について第１実施形態と同様に高い操作性を確保することができる。さらに、本実施形態では、利用者は、より手元に近い位置の現金処理部４１２で現金を扱うことができ、より高い安心感をもって現金による支払を行うことができる。
【００９０】
また、本実施形態では、タッチパネルとして構成された表示面１６、凹部２０及び現金処理部４１２が上から下に順に並んで配置されている。利用者は、表示面１６のタッチ操作、凹部２０におけるコードスキャナ２８及び非接触ＩＣリーダライタ３０による読み取り、並びに現金処理部４１２での現金の処理を上から下に順次行うことができる。このため、本実施形態によれば、利用者が端末装置４１０の操作に迷う機会を低減することができ、利用者が端末装置４１０を簡単に操作することができる。
【００９１】
本実施形態のように、現金処理部４１２がさらに設けられており、現金による支払処理の実行が可能なように端末装置４１０が構成されていてもよい。
【００９２】
なお、上記では、第１実施形態において現金処理部４１２を設けた場合について説明したが、第２及び第３実施形態においても上記と同様に現金処理部４１２を設けることができる。
【００９３】
［第５実施形態］
本発明の第５実施形態による端末装置について図８を用いて説明する。なお、上記第１乃至第４実施形態による端末装置と同様の構成要素については同一の符号を付し説明を省略し又は簡略にする。
【００９４】
上記第１乃至第４実施形態では、表示部１２を支持する台座部１４が、コードスキャナ２８等の情報取得部が配置された配置部になっている場合について説明したが、これに限定されるものではない。本実施形態では、情報取得部が配置された配置部が台座部１４とは別個に設けられている場合について説明する。
【００９５】
本実施形態による端末装置の基本的構成は、第１実施形態による端末装置１０の構成とほぼ同様である。本実施形態による端末装置は、表示部１２の上に、情報取得部が配置された配置部が別個に設けられている点で、第１実施形態による端末装置１０とは異なっている。以下、本実施形態による端末装置の構成について図８を用いて説明する。図８は、本実施形態による端末装置の構成を示す斜視図である。
【００９６】
図８に示すように、本実施形態による端末装置５１０は、第１実施形態と同様の表示部１２を支持する台座部５１４を有している。台座部５１４は、第１実施形態による台座部１４とは異なり、凹部２０を有していない。
【００９７】
表示部１２上には、配置部５４６が設けられている。配置部５４６は、第１実施形態による凹部２０と同様の凹部５２０を有している。凹部５２０は、表示部１２の上方に位置し、且つ表示部１２における表示面１６の最前部の後方に窪んでいる。
【００９８】
配置部５４６における凹部５２０は、第１実施形態による凹部２０の上面部４２及び下面部４４とそれぞれ同様の上面部５４２及び下面部５４４を有している。上面部５４２には、第１実施形態によるコードスキャナ２８と同様のコードスキャナ５２８が設けられている。下面部５４４には、第１実施形態による非接触ＩＣリーダライタ３０と同様の非接触ＩＣリーダライタ５３０が設けられている。こうして、凹部５２０には、第１実施形態による凹部２０と同様にコードスキャナ５２８及び非接触ＩＣリーダライタ５３０が設けられて配置されている。
【００９９】
このように、本実施形態では、コードスキャナ５２８及び非接触ＩＣリーダライタ５３０が、表示部１２の上方に位置し且つ表示面１６の最前部の後方に窪んだ凹部５２０に配置されている。このような本実施形態でも、表示部１２の設置場所とは別にコードスキャナ５２８及び非接触ＩＣリーダライタ５３０の設置場所を確保する必要がない。また、コードスキャナ５２８及び非接触ＩＣリーダライタ５３０は、本体外に突出することなく、凹部５２０に配置されている。したがって、本実施形態による端末装置５１０も、設置場所の省スペース化を実現するとともに、小型化を実現することができる。
【０１００】
本実施形態のように、情報取得部であるコードスキャナ５２８及び非接触ＩＣリーダライタ５３０が凹部５２０に配置された配置部５４６が、台座部５１４とは別個に表示部１２上に設けられていてもよい。
【０１０１】
なお、上記では、凹部５２０が表示部１２上に設けられている場合について説明したが、これに限定されるものではない。凹部５２０は、端末装置５１０の種々の部分に設けることができる。例えば、凹部５２０を有する配置部５４６が、表示部１２の側部に設けられていてもよい。
【０１０２】
また、上記では、第１実施形態において配置部５４６を設けた場合について説明したが、第２乃至第４実施形態においても上記と同様に配置部５４６を設けることができる。
【０１０３】
［他の実施形態］
上記各実施形態において説明した端末装置は、他の実施形態によれば、図９に示すように構成することもできる。図９は、他の実施形態による端末装置の機能構成を示すブロック図である。
【０１０４】
図９に示すように、他の実施形態による端末装置１０００は、表示面１００２を含む表示部１００４と、情報を取得する情報取得部１００６とを有している。情報取得部１００６は、表示部１００４の下方に位置し且つ表示面１００２の最前部の後方に窪んだ凹部１００８に配置される。
【０１０５】
他の実施形態による端末装置１０００によれば、設置場所の省スペース化を実現するとともに、小型化を実現することができる。
【０１０６】
［変形実施形態］
本発明は、上記実施形態に限らず、種々の変形が可能である。
【０１０７】
例えば、上記実施形態では、端末装置１０、２１０、３１０、４１０が収納代行に関する処理を実行する場合を例に説明したがこれに限定されるものではない。端末装置１０、２１０、３１０、４１０、５１０は、一の情報取得部又は互いに異なる複数の情報取得部により機器又は媒体から情報を取得し、取得した情報に基づき何らかの処理を実行するものであればよい。
【０１０８】
また、上記実施形態では、機器又は媒体から情報を取得する情報取得部として、コードスキャナ２８、５２８、非接触ＩＣリーダライタ３０、５３０、無線通信部３２８を用いた場合を例に説明したが、これに限定されるものではない。情報取得部としては、コードスキャナ２８、５２８、非接触ＩＣリーダライタ３０、５３０、無線通信部３２８のほか、実行すべき処理内容等に応じて、種々のスキャナ、センサ等の情報取得部を選択することができる。
【０１０９】
上記実施形態の一部又は全部は、以下の付記のようにも記載されうるが、以下には限られない。
【０１１０】
（付記１）
表示面を含む表示部と、
情報を取得する情報取得部と、
を有し、
前記表示部の下方に位置し且つ前記表示面の最前部の後方に窪んだ凹部に前記情報取得部が配置される
ことを特徴とする端末装置。
【０１１１】
（付記２）
前記情報取得部は、前記凹部内に入れられた機器又は媒体から前記情報を取得する
ことを特徴とする付記１記載の端末装置。
【０１１２】
（付記３）
互いに異なる複数の前記情報取得部を有する
ことを特徴とする付記１又は２に記載の端末装置。
【０１１３】
（付記４）
前記凹部は、互いに対向する上面部及び下面部を有し、
前記複数の情報取得部は、前記凹部の前記上面部及び前記下面部の少なくともいずれかに設けられている
ことを特徴とする付記３記載の端末装置。
【０１１４】
（付記５）
前記複数の情報取得部は、前記凹部の前記上面部及び前記下面部に設けられている
ことを特徴とする付記４記載の端末装置。
【０１１５】
（付記６）
前記複数の情報取得部は、前記凹部の前記上面部に設けられている
ことを特徴とする付記４記載の端末装置。
【０１１６】
（付記７）
前記複数の情報取得部は、前記凹部の前記上面部に設けられた一の前記情報取得部と、前記凹部の前記下面部に設けられた他の前記情報取得部とを含み、
前記一の情報取得部は、コードスキャナであり、
前記他の情報取得部は、非接触ＩＣリーダである
ことを特徴とする付記５記載の端末装置。
【０１１７】
（付記８）
前記凹部を有する配置部を有し、
前記配置部は、前記表示部と一体化されている
ことを特徴とする付記１乃至７のいずれかに記載の端末装置。
【０１１８】
（付記９）
前記配置部は、前記表示部を支持する台座として機能する
ことを特徴とする付記８記載の端末装置。
【符号の説明】
【０１１９】
１０、２１０、３１０、４１０、５１０…端末装置
１２…表示部
１４…台座部
１６…表示面
２０、５２０…凹部
２８、５２８…コードスキャナ
３０、５３０…非接触ＩＣリーダライタ
４２、５４２…上面部
４４、５４４…下面部
５０…スマートフォン
５２…表示面
５４…非接触ＩＣチップ
３２８…無線通信部
４１２…現金処理部
５４６…配置部
【図１】
2019045949.tif 000003
【図２】
2019045949.tif 000004
【図３】
2019045949.tif 000005
【図４】
2019045949.tif 000006
【図５】
2019045949.tif 000007
【図６】
2019045949.tif 000008
【図７】
2019045949.tif 000009
【図８】
2019045949.tif 000010
【図９】
2019045949.tif 000011